(57)【要約】  収納容器内に収納されたウェットティッシュ積層体の嵩が減少しても、蓋体を確実に閉じてウェットティッシュの乾燥の進行を抑制できるとともに、より容易にウェットティッシュの先端部分をつまみ上げてウェットティッシュを引き出すことができるウェットティッシュ包装体を提供する。  複数枚のウェットティッシュ７からなるウェットティッシュ積層体６と、該ウェットティッシュ積層体６を内部に収納可能であり、前記ウェットティッシュ７を通過可能な取出口１２からウェットティッシュ７を外部に引き出し可能な取出部１１が設けられた容器構造体３と、前記取出口１２を外方から閉塞及び開放自在な蓋体５とを備え、前記ウェットティッシュ積層体６を前記容器構造体３に収納してなるウェットティッシュ包装体１において、取出部１１とウェットティッシュ積層体６との間に、取出口１２からウェットティッュ７が引き出される際に該ウェットティッシュ７に抵抗を付与する抵抗付与部１３を形成した抵抗付与部材４が設けられる。さらに、ウェットティッシュ包装体１は、取出口１２からウェットティッシュ７が引き出されることに伴うウェットティッシュ積層体６の嵩の減少量に応じて、前記抵抗付与部材４の抵抗付与部１３が容器構造体３の奥方側に移動するように構成される。
2014141320.tif 000002
【特許請求の範囲】
【請求項１】
複数枚のウェットティッシュからなるウェットティッシュ積層体と、
該ウェットティッシュ積層体を内部に収納可能であり、前記ウェットティッシュを通過可能な取出口からウェットティッシュを外部に引き出し可能な取出部が設けられた容器構造体と、
前記取出口を外方から閉塞及び開放自在な蓋体とを備え、
前記ウェットティッシュ積層体を前記容器構造体に収納してなるウェットティッシュ包装体において、
取出部とウェットティッシュ積層体との間に、取出口からウェットティッュが引き出される際に該ウェットティッシュに抵抗を付与する抵抗付与部を形成した抵抗付与部材が設けられており、
取出口からウェットティッシュが引き出されることに伴うウェットティッシュ積層体の嵩の減少量に応じて、前記抵抗付与部材の抵抗付与部が容器構造体の奥方側に移動するように構成されている、ことを特徴とするウェットティッシュ包装体。
【請求項２】
前記抵抗付与部材は、取出部に片持ち支持されており、
該抵抗付与部材の自由端側が、容器構造体の奥方側に向かって付勢されている、請求項１に記載のウェットティッシュ包装体。
【請求項３】
前記抵抗付与部材は、取出部に支持されていない状態となっている、請求項１に記載のウェットティッシュ包装体。
【請求項４】
前記抵抗付与部材は、前記容器構造体の奥方側に向かって凸状に湾曲した湾曲部を備えた板状に形成されており、該湾曲部内の所定位置に抵抗付与部が形成されている、請求項１から３のいずれかに記載のウェットティッシュ包装体。
【発明の詳細な説明】
【技術分野】
【０００１】
本発明は、ウェットティッシュ積層体を容器構造体に収納したウェットティッシュ包装体に関する。
【背景技術】
【０００２】
ウェットティッシュ包装体は、複数枚のウェットティッシュを積層してなるウェットティッシュ積層体を容器構造体内に収納して構成されている。ウェットティッシュは、ウェブシート等といった所定のティッシュシートに薬液等を含浸させて構成される含湿ティッシュシートであり、薬液等で濡れた状態を維持することができるように容器構造体の中に収納される。そのようなウェットティッシュは、必要に応じて容器構造体から取り出されてお手拭用、お尻拭き用などといった広く様々な用途で使用されうる。【０００３】
容器構造体は、プラスチックや柔軟なフィルム材などを適宜用いて構成された収納容器と、ウェットティッシュ積層体を構成するウェットティッシュを外部へ取り出す取出口を有して構成される取出部とを備えて構成される。取出部の取出口は、収納容器の所定位置を所定形状に開口した構造部で構成されている。容器構造体内に収納されるウェットティッシュ積層体は、ウェットティッシュを外部へ取り出す際に先行して取り出されるウェットティッシュとそれに後続するウェットティッシュとが分離部で摩擦抵抗を受けて分離されるように構成されている。すなわち多くの容器構造体には、ウェットティッシュ積層体を構成するウェットティッシュの一部を引き出す際にそのウェットティッシュに抵抗を付与する抵抗付与部が取出部内の所定位置に設けられており、ウェットティッシュを引き出すにあたりそのウェットティッシュが抵抗付与部で摩擦抵抗を受けることで、先行して引き出されるウェットティッシュとそれに後続するウェットティッシュとが分離部で分離される。こうして、ウェットティッシュ包装体においては、容器構造体からウェットティッシュ積層体から先行するウェットティッシュが分離部で分離されて引き出されるのである。このとき、ウェットティッシュ連続体を構成する後続のウェットティッシュは、その先端部分が取出口に臨み、抵抗付与部から収納容器の外側に向かってやや突出した状態になる。そして次の使用時には、後続のウェットティッシュの突出した部分を摘んで容器構造体の外側方向に引き出すことで、ウェットティッシュ連続体から後続のウェットティッシュを更に引き出すことができる。【０００４】
このようなウェットティッシュ包装体においては、抵抗付与部及び取出口を介して容器構造体の内部が非密閉状態となっていることから、抵抗付与部から外側に突出したウェットティッシュの先端部分の乾燥だけでなくウェットティッシュ積層体全体の乾燥が進行しやすい。そこで、ウェットティッシュ包装体には、通常、容器構造体に、取出口を密閉することができる蓋体が設けられている（例えば、特許文献１，２）。【０００５】
蓋体で取出口が閉塞されると、容器構造体内部を効果的に密閉状態することができ、容器構造体内に収納されているウェットティッシュ積層体を構成するウェットティッシュに含浸された薬液等の揮発が効果的に防止される。
【先行技術文献】
【特許文献】
【０００６】
【特許文献１】特開２００４−１９６３０３号公報
【特許文献２】特開２０１０−１７３６４９号公報
【発明の概要】
【発明が解決しようとする課題】
【０００７】
ウェットティッシュ包装体においては、ウェットティッシュを消費していくと、容器構造体内におけるウェットティッシュ積層体の積層数が低くなってその嵩が減少した状態になる。すると、容器構造体内にあるウェットティッシュ積層体の表面と抵抗付与部との間隔が広がった状態になる。この状態で更にウェットティッシュを引き出す場合、ウェットティッシュが抵抗付与部をすり抜けやすくなって分離部での分離が生じるタイミングに遅れが発生しやすくなる。すると、引き出されるウェットティッシュに後続するウェットティッシュが余分に引き出されて抵抗付与部から大きく外側にはみ出した状態、すなわち、ウェットティッシュが過剰にはみ出した状態が形成され易くなる。【０００８】
こうしてウェットティッシュが抵抗付与部から過剰にはみ出した状態になると、その大きくはみ出したウェットティッシュが蓋体による取出口の閉塞を妨げてしまう。つまり、蓋体で容器構造体内を密閉することが妨げられて、ウェットティッシュ積層体の湿潤状態が維持できなくなるという重大な問題が引き起こされてしまうことになる。【０００９】
そのような問題のほかにも、ウェットティッシュ積層体の積層数が減少してウェットティッシュ積層体の表面と抵抗付与部との間隔が広がると、分離部で分離されて容器構造体内に残された側のウェットティッシュの先端が容器構造体内に落ち込んだ状態になったような場合に、ウェットティッシュの先端部分をつまみ上げて外に引き出すことが困難になる等の問題も生じる。【００１０】
容器構造体が、柔軟なフィルム材等から形成された袋体を収納容器として構成されている場合には、収納容器自体を意図的に潰すことで、ウェットティッシュ積層体の表面と抵抗付与部との間隔を狭め、後続するウェットティッシュが抵抗付与部をすり抜けることを抑制することが考えられる。しかしながら、収納容器自体を潰してしまうと、収納容器に折れ目を生じるとともに折れ目に沿って収納容器が裂けやすくなる。そして、収納容器に裂けがわずかにでも生じてしまうと、容器構造体の密閉性を大きく悪化させてしまい、ウェットティッシュの乾燥の進行を返って加速させてしまう虞がある。【００１１】
本発明は、容器構造体内に収納されたウェットティッシュ積層体の嵩が減少しても、蓋体を確実に閉じることができて、ウェットティッシュの乾燥の進行を抑制できるとともに、より容易にウェットティッシュの先端部分をつまみ上げてウェットティッシュを引き出すことができるウェットティッシュ包装体を提供することを目的とする。
【課題を解決するための手段】
【００１２】
本発明は、
（１）複数枚のウェットティッシュからなるウェットティッシュ積層体と、
該ウェットティッシュ積層体を内部に収納可能であり、前記ウェットティッシュを通過可能な取出口からウェットティッシュを外部に引き出し可能な取出部が設けられた容器構造体と、
前記取出口を外方から閉塞及び開放自在な蓋体とを備え、
前記ウェットティッシュ積層体を前記容器構造体に収納してなるウェットティッシュ包装体において、
取出部とウェットティッシュ積層体との間に、取出口からウェットティッュが引き出される際に該ウェットティッシュに抵抗を付与する抵抗付与部を形成した抵抗付与部材が設けられており、
取出口からウェットティッシュが引き出されることに伴うウェットティッシュ積層体の嵩の減少量に応じて、前記抵抗付与部材の抵抗付与部が容器構造体の奥方側に移動するように構成されている、ことを特徴とするウェットティッシュ包装体、
（２）前記抵抗付与部材は、取出部に片持ち支持されており、
該抵抗付与部材の自由端側が、容器構造体の奥方側に向かって付勢されている、上記（１）に記載のウェットティッシュ包装体、
（３）前記抵抗付与部材は、取出部に支持されていない状態となっている、上記（１）に記載のウェットティッシュ包装体、
（４）前記抵抗付与部材は、前記容器構造体の奥方側に向かって凸状に湾曲した湾曲部を備えた板状に形成されており、該湾曲部内の所定位置に抵抗付与部が形成されている、上記（１）から（３）のいずれかに記載のウェットティッシュ包装体、を要旨とする。【００１３】
また、本発明は、
（５）前記抵抗付与部材は、抵抗付与部材の基端部よりも自由端部のほうが柔軟となるように構成されている、上記（２）に記載のウェットティッシュ包装体、
（６）前記抵抗付与部材は、複数の抵抗付与部材形成片で構成されており、
複数の抵抗付与部材形成片から２つ選ばれてなる組み合わせのうちの少なくとも１組は、ウェットティッシュ包装体の平面視上、抵抗付与部材形成片の基端側から自由端側に向かう方向が互いに逆向きとなるように取出部に片持ち支持されている、上記（２）に記載のウェットティッシュ包装体、
（７）前記容器構造体は、開口部を形成した収納容器と、取出口を形成した当て材とを備えるとともに、ウェットティッシュ包装体の平面視上、開口部の形成領域内に取出口が位置するように収納容器に当て材を取り付けられており、
抵抗付与部材が当て材に対して片持ち支持されている、上記（２）に記載のウェットティッシュ包装体、
（８）前記抵抗付与部材には抵抗付与部を挟むようにリブが立設されている、上記（１）から（７）のいずれかに記載のウェットティッシュ包装体、とされていてもよい。
【発明の効果】
【００１４】
本発明によれば、収納容器内に収納されたウェットティッシュ積層体の嵩が減少しても、蓋体を確実に閉じてウェットティッシュの乾燥の進行を抑制できるとともに、より容易にウェットティッシュの先端部分をつまみ上げてウェットティッシュを引き出すことができるウェットティッシュ包装体を得ることができる。
【図面の簡単な説明】
【００１５】
【図１】図１は、本発明の第１の実施形態におけるウェットティッシュ包装体の外観構成を表す概略外観斜視図である。
【図２】図２は、図１のＡ−Ａ線断面の状態を模式的に示す概略縦断面模式図である。
【図３】図３Ａ、ウェットティッシュ包装体から当て材と抵抗付与部材と蓋体とで構成される構造部分を抜き出した場合において、その構造部分の外観構成を模式的に示す概略外観斜視模式図である。図３Ｂは、当て材と抵抗付与部材と蓋体とで構成される構造部分を下面側から見た場合の外観構成を模式的に示す概略外観斜視模式図である。
【図４】図４Ａは、取出口からウェットティッシュを取り出す状態を表す説明図、図４Ｂはウェットティッシュを取り出した状態を表す説明図、図４Ｃはウェットティッシュを取出した後に蓋体で取出口の蓋をした状態を表す説明図である。
【図５】図５は、ウェットティッシュ積層体の嵩が減少した場合において、取出口からウェットティッシュを取り出す状態を表す説明図である。
【図６】図６Ａ、図６Ｂは、いずれもウェットティッシュ包装体に収容可能なウェットティッシュ積層体の例を示しており、且つ、枚葉型のウェットティッシュ積層体の例を示す図である。
【図７】図７は、ウェットティッシュ包装体に収容可能なウェットティッシュ積層体の例を示しており、且つ、連続型のウェットティッシュ積層体の例を示す図である。
【図８】図８は、ウェットティッシュ包装体から抵抗付与部材を抜き出してその外観構成を模式的に示す図であるとともにウェットティッシュ積層体の先端側にあるウェットティッシュが抵抗付与部材の抵抗付与部を通過して引き出される様子を表す説明図である。
【図９】図９は、ウェットティッシュ包装体を立てて使用した場合の一例を示す説明図である。
【図１０】図１０は、ウェットティッシュ包装体を立てて使用した場合の他の一例を示す説明図である。
【図１１】図１１は、抵抗付与部材に弾性体を取り付けた場合の例を説明するための説明図である。
【図１２】図１２は、第２の実施形態におけるウェットティッシュ包装体から抵抗付与部材を抜き出してその外観構成を模式的に示す図である。
【図１３】図１３は、第２の実施形態におけるウェットティッシュ包装体に抵抗付与部材を設けた状態を説明するための図であるとともに、ウェットティッシュ積層体の嵩が減少した場合における抵抗付与部材を構成する抵抗付与部材形成片の状態を説明するための説明図である。
【図１４】図１４は、抵抗付与部材にリブを取り付けた場合の例を説明するための説明図である。
【図１５】図１５は、抵抗付与部材に湾曲部を形成した場合の例であって、湾曲部が２方向に湾曲して形成されている場合の例を説明するための説明図である。
【図１６】図１６は、第３の実施形態におけるウェットティッシュ包装体を説明するための図であり、図２に対応した縦断面を模式的に示す概略縦断面模式図である。
【発明を実施するための形態】
【００１６】
［第１の実施形態］
本発明に係るウェットティッシュ包装体１の第１の実施の形態の構成について、図１等を参照しつつ説明する。
【００１７】
本明細書において、上下前後左右の方向は、特に断りのない限り、次に示す方向を示すものとする。すなわち、ウェットティッシュ包装体１の重力方向を上下方向とする。ウェットティッシュ包装体１を地面側とは逆側に取出口１２を向けつつ配置した場合に、ウェットティッシュ積層体６から取出口１２に向かう方向を上方向とする。この場合においては、ウェットティッシュ積層体６の厚み方向に沿った方向が上下方向となる。さらに上下方向を視線方向としてウェットティッシュ包装体１に収納されているウェットティッシュ積層体６を見ながら、上下方向を法線方向とする平面上にウェットティッシュ積層体６を徐々に解反することを想定した場合に、ウェットティッシュ積層体６の解反に伴って形成されるシートののびる方向となるべき方向を前後方向とする。図１に示すようにウェットティッシュ包装体１において、互いに直交するｘ軸、ｙ軸、ｚ軸で張られるｘｙｚ３次元空間を想定した場合には、ｚ軸方向、ｙ軸方向がそれぞれ上下方向、前後方向に沿った方向となる。そして、その場合に、ｘ軸方向にあたる方向が左右方向になる。また、ウェットティッシュ包装体１において、容器構造体３の取出口１２から離れる方向であって容器構造体３の内部に向かう方向を奥方向とする。さらに、ウェットティッシュ包装体１の平面視上とは、ウェットティッシュ包装体１を上方向から下方向に向かって見た場合を示すものとする。
【００１８】
（ウェットティッシュ包装体１）
ウェットティッシュ包装体１は、ウェットティッシュ積層体６と、内部にウェットティッシュ積層体６を収納可能に構成された容器構造体３とを備えており、ウェットティッシュ積層体６を容器構造体３に収納してなる構造を有する。
【００１９】
（ウェットティッシュ積層体６）
ウェットティッシュ積層体６は、図２に破線で略示されるように、複数のウェットティッシュ７を積層してなる構造体である。ウェットティッシュ積層体６は、折り畳み構造を有するものであってもよいし、ロール状に巻かれた構造を有するものであってもよいが、折り畳み構造を有するものであることが、ウェットティッシュ包装体１の容器構造体３内からウェットティッシュ７を取り出す操作を繰り返すうちにウェットティッシュ積層体６に皺や型崩れを生じる状態が生じにくい点で好適である。
【００２０】
ウェットティッシュ積層体６には、枚葉型のウェットティッシュ積層体６、及び、連続型のウェットティッシュ積層体６の双方が含まれる。枚葉型のウェットティッシュ積層体６は、個別独立した枚葉のウェットティッシュ７，７・・・，７が後述するＺ折等で折りたたまれるとともに折り畳まれた複数のウェットティッシュ７，７が互いに接触して構成されているものである。連続型のウェットティッシュ積層体６は、ウェットティッシュ７がミシン目等で繋がって構成されているものである。
【００２１】
ウェットティッシュ積層体６には、図６，図７にも示すように分離部１０が形成されている。ウェットティッシュ包装体１からウェットティッシュ７を取り出す操作が行われると、ウェットティッシュ積層体６において先行して取出口１２から引き出されるウェットティッシュ７とこれに後続するウェットティッシュ７とが、分離部１０で分離されて互いに引き離されることになる。
【００２２】
したがって、ウェットティッシュ７がウェットティッシュ積層体６から分離されるとは、例えば、個別に独立した枚葉のウェットティッシュ７が後述するＺ折り等を適宜用いて折り畳まれるとともに複数のウェットティッシュ７が互いに接触した構造を有してウェットティッシュ積層体６が構成されている場合には、複数のウェットティッシュ７，７が互いに接触した部分で、先端の一葉のウェットティッシュ７が剥がされてウェットティッシュ積層体６から引き離されることを意味し、ウェットティッシュ７がミシン目等で繋がって構成されている場合には、ウェットティッシュ積層体６がミシン目等の位置で引き裂かれてウェットティッシュ７とされることになる部分がウェットティッシュ積層体６から引き離されることを意味する。
【００２３】
（枚葉型のウェットティッシュ積層体６の例）
ウェットティッシュ積層体６は、図６Ａ，図６Ｂに示すように、所定の折構造となるように折り畳まれた独立したウェットティッシュ７を部分的に重なり合わせてオーバーラップ部１０ａを形成するように構成されていてもよい。この場合、オーバーラップ部１０ａが、分離部１０をなす。図６Ａは、Ｚ字状に折られたＺ折りと呼ばれる折構造を有するウェットティッシュ７を積層したＺ折り型のウェットティッシュ積層体６、図６Ｂは、Ｗ字状に折られたＷ折りと呼ばれる折構造を有するウェットティッシュ７とＺ折りと呼ばれる折構造を有するウェットティッシュ７を交互に積層したＷＺ折り型のウェットティッシュ積層体６を示す。ただし、図６Ａ，図６Ｂは例示であって、ウェットティッシュ７の折構造は、上記したＺ折りやＷ折りに限定されない。また、ウェットティッシュ積層体６についても、Ｗ折りのウェットティッシュ７を積層したものや、Ｚ折りやＷ折り以外の他の折構造を有するウェットティッシュ７を積層したものであってよく、また、ＷＺ折り型のウェットティッシュ積層体６のほかにも折構造の異なる複数のウェットティッシュ７を積層したもの等であってもよい。ウェットティッシュ７の折構造は、図４Ａから図４Ｃに示すように先行するウェットティッシュ７が引き上げられた時にそれに後続するウェットティッシュ７が順次連続して引き上げられ、図４Ｂのように先行するウェットティッシュ７とそれに後続するウェットティッシュ７とが分離した際に、図４Ｃのように後続のウェットティッシュ７の先端部が後述の抵抗付与部１３から飛び出した状態、すなわちポップアップ状態、となるように、ウェットティッシュ積層体６を構成できるものであればよい。
【００２４】
図６Ａでは、ウェットティッシュ積層体６は、Ｚ折りのウェットティッシュ７を積層して構成されている。このウェットティッシュ積層体６では、先行して引き出されることを予定されたウェットティッシュ７ａの終端側の上面７ｃと、これに後続するウェットティッシュ７ｂの始端側の下面７ｄとが向かい合わせになるようにウェットティッシュ７ａ、７ｂ同士を重なり合わせてオーバーラップ部１０ａが形成されている。このようなウェットティッシュ積層体６を収納した容器構造体３からウェットティッシュ７ａを引き出す際には、オーバーラップ部１０ａでウェットティッシュ７ａ、７ｂ間に作用する摩擦力でウェットティッシュ７ａの終端がウェットティッシュ７ｂの始端を引き上げ、ウェットティッシュ７ａの終端側のオーバーラップ部１０ａが抵抗付与部１３に向かって移行することになる。ウェットティッシュ７ａの引き出しが進むと、オーバーラップ部１０ａは、やがて抵抗付与部１３を通過する。このとき、オーバーラップ部１０ａは抵抗付与部１３から摩擦抵抗を受けて、ウェットティッシュ７ａ、７ｂの重なり合いが解除されやすくなる。そして、ウェットティッシュ７ｂの始端が後述する抵抗付与部１３の外側へある程度引き出された時に、ウェットティッシュ７ａの終端と次のウェットティッシュ７ｂの始端とが分離し、オーバーラップ部１０ａが消滅する。すなわち、ウェットティッシュ７ａの終端と次のウェットティッシュ７ｂの始端との重なり合う部分をなすオーバーラップ部１０ａが分離部１０をなし、この分離部１０でウェットティッシュ７ａが次のウェットティッシュ７ｂを有するウェットティッシュ積層体６から引き離されるのである。
【００２５】
図６Ｂでは、ウェットティッシュ積層体６は、Ｚ字状に折られたウェットティッシュ７ｅと、Ｗ字状に折られたウェットティッシュ７ｆとを交互に積層して構成されている。図６Ｂの場合には、先行して引き出されることを予定されたＺ折りされたウェットティッシュ７ｅの終端側の上面７ｇと、これに後続するＷ折りされたウェットティッシュ７ｆの始端側の下面７ｈとを向かい合わせにして重ね合わせてオーバーラップ部１０ａを形成するようにウェットティッシュ７が積層されている。このようなウェットティッシュ積層体６を収納した容器構造体３からウェットティッシュ７ｅを引き出す際には、オーバーラップ部１０ａでウェットティッシュ７ｅ、７ｆ間に作用する摩擦力でウェットティッシュ７ｅの終端が次のＷ折りされたウェットティッシュ７ｆの始端を引き上げ、ウェットティッシュ７ｅの終端側のオーバーラップ部１０ａが抵抗付与部１３に向かって移行することになる。ウェットティッシュ７ｅの引き出しが進むと、オーバーラップ部１０ａは、やがて抵抗付与部１３を通過する。そして、ウェットティッシュ７ｅの始端が後述する抵抗付与部１３の外側へある程度引き出された時に、ウェットティッシュ７ｅの終端と次のウェットティッシュ７ｆの始端とが分離し、オーバーラップ部１０ａが消滅する。すなわち、ウェットティッシュ７ｅの終端と次のウェットティッシュ７ｆの始端との重なり合う部分をなすオーバーラップ部１０ａが分離部１０をなし、この分離部１０でウェットティッシュ７ｅが次のウェットティッシュ７ｆを有するウェットティッシュ積層体６から引き離されるのである。なお、ウェットティッシュ積層体６からは次にウェットティッシュ７ｆが引き出され、このときウェットティッシュ７ｆ、７ｉが互いに分離されることになるが、ウェットティッシュ７ｆと後続するウェットティッシュ７ｉとの間の分離機構についても、上記したような分離部１０でのウェットティッシュ７ｅ、７ｆの分離機構と同様である。
【００２６】
（連続型のウェットティッシュ積層体６の例）
ウェットティッシュ積層体６は、図７に示すように、分断部１０ｂを分離部１０として形成した長尺なティッシュシート１４をつづら折りにして複数の折り返し部８，９を形成することで構成される。長尺なティッシュシート１４は、長手方向に沿って面順次に一列に並ぶウェットティッシュ７，７同士を部分的に繋げた構造を有している。このとき、ウェットティッシュ７，７同士を部分的に繋げた構造部が、分離部１０にあたる。この場合、分離部１０は、容器構造体３からウェットティッシュ積層体６の先端部を引き出した際に作用する引張力と抵抗付与部１３から受ける摩擦抵抗の作用でウェットティッシュ７，７同士の分断される部分となり、ウェットティッシュ７がウェットティッシュ積層体６から引き離されることになる部分である。分離部１０は、形状を限定されるものではなく、例えば、ミシン目状に形成してもよいし、これ以外の形状であってもよい。
【００２７】
なお、図７の例に示すウェットティッシュ積層体６は、ウェットティッシュ積層体６を上下方向に見た場合に、分離部１０が前後方向の中央に位置するように構成されているが、これは一例であってウェットティッシュ積層体６を上下方向に見た場合における分離部１０の位置は、特に限定されるものではなく、適宜選択可能である。このウェットティッシュ積層体６は、左右方向を視線方向としてウェットティッシュ積層体６を見た場合に、分離部１０の存在パターンが分離部１０のある層と分離部１０がない層とが交互に存在するようなパターンとなるように構成されているが、これも一例であって、ウェットティッシュ積層体６を左右方向に見た場合における分離部１０の存在パターンは、特に限定されるものではなく、適宜選択可能である。
【００２８】
（ウェットティッシュ７）
ウェットティッシュ７は、例えば、合成繊維若しくは天然繊維からなる紙、織布又は不織布等を用いて成形されたティッシュシートに薬液等を含浸させた含湿ティッシュシートである。薬液等としては、例えば、アルコール類、水又はこれらの混合物が挙げられる。また、薬液には、香料、抗菌剤、消臭剤、界面活性剤、防腐剤、色素、消泡剤、酸化防止剤、清澄剤、可溶化剤、ｐＨ調整剤等を任意に選択して配合してもよい。なお、ウェットティッシュ積層体６を構成する基布及び薬液等について上記した材質は一例であり、上記した以外のものを任意に選択して用いてもよい。
【００２９】
ここに、ウェットティッシュ７には、ウェットティッシュ積層体６から分離されたシート状のもの、ウェットティッシュ積層体６を構成するシート状のものの双方が含まれる。
【００３０】
（容器構造体３）
図１及び図２に戻って、容器構造体３は、収納容器１５と、収納容器１５の所定位置に形成された取出部１１とを備えて構成される。
【００３１】
（収納容器１５）
収納容器１５は、ウェットティッシュ積層体６を内部に収納可能な空間を有する形状に容器構造体３を形成可能なものであれば特に限定されものではない。収納容器１５の材質は、少なくともウェットティッシュ包装体１の未使用品の状態で内部の空間を密閉状態にて維持可能なものであることが好適である。収納容器１５は、柔軟なフィルム材等を袋状に構成してなる袋体を用いられてよいし、プラスチック等の樹脂材料によって形成された筐体を使用されてもよい。なお、本明細書において、ウェットティッシュ包装体１の未使用品とは、製造時に容器構造体３内に収納したウェットティッシュ積層体６からウェットティッシュ７が容器構造体３の外に取り出されたことがないものを示す。
【００３２】
収納容器１５が袋体である場合、袋体は、気密性を有する袋を用いられる。具体的には、袋体は、柔軟性のあるプラスチックフィルム等により、例えば、図１等に示すようなピロー形状の袋状に形成されていることが好適である。なお、ピロー形状の袋体は、筒状のフィルムの両端をヒートシール等によって封止することで具体的に形成可能である。
【００３３】
（取出部１１）
取出部１１は、取出口１２を有して構成される構造部である。ウェットティッシュ包装体１においては、取出部１１の取出口１２から容器構造体３の外に向かってウェットティッシュ７が引き出される。
【００３４】
（取出口１２）
取出口１２は、容器構造体３の内部に収納されたウェットティッシュ積層体６からウェットティッシュ７を容器構造体３の外部に引き出し可能な形状に構成されていればよい。
【００３５】
図１，図２に示す例では、容器構造体３は、開口部１６を備えた収納容器１５と、開口部１６に取り付けられる当て材１７とを備えて構成されている。当て材１７には、後述する通過部１８が形成されている。当て材１７は、ウェットティッシュ包装体１の平面視上、開口部１６の形成領域内に通過部１８が位置するように配置されている。
【００３６】
この例の場合、通過部１８が取出口１２をなしており、取出部１１は、開口部１６と当て材１７とで構成される構造部となる。
【００３７】
以下では、通過部１８が取出口１２をなし、取出部１１が開口部１６と当て材１７とで構成されている場合を例として、更に説明を行う。ただし、このことは、取出口１２と取出部１１を上記図１の例に限定しようとするものではない。たとえば、容器構造体３が開口部１６を備えた収納容器１５で構成されて、収納容器１５の開口部１６が取出口１２を兼ねる場合には、取出部１１は、収納容器１５に形成された取出口１２で構成されてよい（図示しない）。
【００３８】
（開口部１６）
収納容器１５に形成された開口部１６は、ウェットティッシュ７の引き出しを行う者が外部から通過部１８を経由してウェットティッシュ積層体６のウェットティッシュ７に接触することが可能となるように構成される。図１，図２等の例では、開口部１６は、後述する蓋体５を開いた状態で、通過部１８を外部に臨ませる構造部をなしており、開口部１６は収納容器１５の上面側の所定領域を略四角形状に開口させてなる部分として形成されている。ただし、開口部１６の大きさや形状は適宜選択可能であってこの例に限定されるものではない。
【００３９】
（当て材１７）
当て材１７は、ウェットティッシュ包装体１の平面視上、収納容器１５の開口部１６の形成領域内に通過部１８の少なくとも一部が位置するように収納容器１５に取り付けられている。ただし、ウェットティッシュ包装体１の平面視上、収納容器１５の開口部１６の形成領域内に通過部１８全体が配置されるように収納容器１５に取り付けられていることが、ウェットティッシュ７の引き出しを行う者がより確実に通過部１８にアクセスすることができて好適である。当て材１７の材質は、特に限定されず、ポリエチレン、ポリプロピレン等の熱可塑性樹脂材料等を選択されてよいが、当て材１７は、収納容器１５よりも硬い材質のもので構成されていることが好ましい。容器構造体３が、収納容器１５に当て材１７を取り付けていることで、開口部１６及びその周囲の強度を効果的に強めることができる。
【００４０】
（取付部１９）
当て材１７は、図３Ａ，図３Ｂ等に示すように、蓋体５を閉じた状態で、ウェットティッシュ包装体１の平面視上、略四角形状の外側輪郭を有して形成されている。当て材１７は、収納容器１５の外面側の所定領域に向かい合わせて取り付けられてよいほか、収納容器１５の内面側の所定領域に向かい合わせてよい。図１，図２，図３等の例では、当て材１７は、上側の面を取付部１９として、取付部１９を袋体３の内面側の所定領域に向かい合わせて取り付けられる。当て材１７を収納容器１５に取り付ける方法としては、例えばホットメルト等によるものが挙げられるが、これに限定されるものではなく、任意に選択した種々の方法を用いてよい。
【００４１】
（通過部１８）
当て材１７の所定位置には、図４Ａに示すように容器構造体３の外側に引き出されるウェットティッシュ７を通じる通過部１８が形成されている。通過部１８は、その形状や大きさや構造を特に限定されないが、図１，２，３等では当て材１７に設けられた孔構造をなしている。通過部１８は、ウェットティッシュ積層体６のうち先端部６ａにあるウェットティッシュ７に対して外部からアクセスしてこれを摘み上げることが可能な形状や大きさに形成されていればよい。
【００４２】
（陥没部２０）
当て材１７には、通過部１８の周囲に陥没部２０が形成されていてもよい。図３Ａの例では、当て材１７の略中央の位置に陥没部２０が形成されており陥没部２０内に通過部１８が形成されている。ウェットティッシュ包装体１において、陥没部２０は、当て材１７の取付部１９の形成面に対して上下方向の位置が一段下がった凹状に形成されている。陥没部２０が形成されていると、当て材１７に前後方向又は左右方向のねじれ応力が負荷されても、通過部１８及びその近傍の意図しない形状変形の発生を抑制することができる。
【００４３】
（抵抗付与部材４）
ウェットティッシュ包装体１には、図２等に示すように取出部１１とウェットティッシュ積層体６との間に、所定の位置に後述の抵抗付与部１３が形成された抵抗付与部材４が配設されている。
【００４４】
このウェットティッシュ包装体１においては、取出口１２からウェットティッシュ７が引き出されることに伴うウェットティッシュ積層体６の嵩の減少量に応じて、抵抗付与部材４の抵抗付与部１３が容器構造体３の奥方側（矢印Ｋ方向）に移動するように構成されている。
【００４５】
図１の例では、抵抗付与部材４は、取出部１１に片持ち支持されている。この例に示す抵抗付与部材４は、基端２１側の所定位置から自由端２２側に向かって容器構造体３の奥方側に斜め傾斜するようにのびており、抵抗付与部材４の自由端２２側が容器構造体３の奥方側に向かって付勢されている。即ち、図２に破線で示されるように、抵抗付与部材４（Ｔ０）は、負荷がかかっていない自然状態では自由端２２が収納容器１５の底部より下方に位置する形状に形成されていて、ウェットティッシュ積層体６の表面に押し当てられた状態では自然状態からその状態まで弾性変形している。その結果、抵抗付与部材４の弾性変形で生じた弾性力により、抵抗付与部材４の自由端２２側が容器構造体３の奥方側に向かって付勢されているのである。そのような構成により、図２に示すように、抵抗付与部材４は、ウェットティッシュ積層体６の嵩の減少量に応じて、基端２１周辺部を中心に全体的に撓んで自由端２２側が回動していくことで抵抗付与部材４の抵抗付与部１３が容器構造体３の奥方側に移動し、ウェットティッシュ積層体６の嵩が低下しても、抵抗付与部１３がウェットティッシュ積層体６の表面に押し付けられた状態が維持される。図２において、一点鎖線で示す符号４（Ｔ１）は、ウェットティッシュ積層体６の嵩が減少した場合における、抵抗付与部材４を示し、二点鎖線で示す符号４（Ｔ２）は、ウェットティッシュ積層体６の嵩が更に減少した場合における、抵抗付与部材４を示す。一点鎖線で示す符号１３（Ｔ１）は、抵抗付与部材４（Ｔ１）における抵抗付与部１３を示し、二点鎖線で示す符号１３（Ｔ２）は、抵抗付与部材４（Ｔ２）における抵抗付与部１３を示す。また、図２の例においては、抵抗付与部材４は、その弾性変形時に所定位置で曲がって屈曲部２３を形成しているが、これは一例にすぎず、弾性変形時に屈曲部２３が形成されていなくともよい。
【００４６】
このウェットティッシュ包装体１においては、上記したように抵抗付与部材４が取出部１１に片持ち支持されて、その自由端２２側が容器構造体３の奥方側に向かって付勢されていることにより、ウェットティッシュ積層体６の嵩の減少量に応じて抵抗付与部材４の自由端２２側が基端２１側を中心に回動して、ウェットティッシュ積送体の表面に押し付けられた状態になる。したがって、図５に示すようにウェットティッシュ積層体６の嵩が減少した状態では、抵抗付与部１３が、ウェットティッシュ７の引き出し方向に対して傾いた状態になり、ウェットティッシュ７のうち抵抗付与部１３を通過して外部側に出た部分が向かう方向（退出方向（図５において矢印Ｓ））と、抵抗付与部１３を通過する直前のウェットティッシュ７が向かう方向（進入方向（図５において矢印Ｒ））とが角度をなすようになる。
【００４７】
そのようにして、ウェットティッシュ７の退出方向Ｓと進入方向Ｒとのなす角度が大きくなるほど抵抗付与部１３からウェットティッシュ７に対して強い摩擦抵抗が作用し、それに伴って分離部１０に大きな分離力が作用するようになるので先行するウェットティッシュ７（Ｎ１）をウェットティッシュ積層体６から適切な位置で分離させて引き離すことができる。なお、図５において、符号７（Ｎ２）は、引き出されるウェットティッシュ７７（Ｎ１）に後続するウェットティッシュ７を示す。
【００４８】
そして、第１の実施形態におけるウェットティッシュ包装体１では、抵抗付与部材４の自由端２２側を容器構造体３の奥方側に向かって付勢した構成を備えていることで、ウェットティッシュ積層体６を容器構造体３の奥方向に押し付けることができ、ウェットティッシュ積層体６の積層構造がより確実に保持される。
【００４９】
（弾性体２４）
図１１は、第１の実施形態の変形例を示しており、抵抗付与部材４の基端２１側の所定位置に付勢力を付与するための弾性体２４が取り付けられてもよい。弾性体２４としては、プラスチック材や金属材などで構成されるバネ材や、シリコンゴムなどを適宜選択可能である。抵抗付与部材４に弾性材２４が取り付けられていることで、容器構造体３の奥方側に向かう付勢力を効果的に強めることができる。このように、抵抗付与部材４に付勢力を与える構造はどのようなものであっても差し支えない。
【００５０】
（基端２１と自由端２２との距離）
第１の実施形態の抵抗付与部材４は、基端２１と自由端２２との距離を特に限定されるものではないが、自由端２２が最も容器構造体３の奥方側に移動した状態における基端２１と自由端２２との距離が取出部１１からウェットティッシュ積層体６の底位置までの距離以上であることが、最後の一枚のウェットティッシュ７が外部に取り出されるまでウェットティッシュ積層体６の表面に抵抗付与部材４を接触させてウェットティッシュ積層体６の積層構造の崩れを抑制することができることとなって好ましい。
【００５１】
（ウェットティッシュ包装体１の使用形態）
ウェットティッシュ包装体１は、図１，２等に示すような取出口１２を上に向けて載置面２５上に配置されている場合に限られない。例えば、図９に示すようにウェットティッシュ包装体１が、筐体上の容器構造体３内にウェットティッシュ積層体６を収納して構成されているような場合に、ウェットティッシュ包装体１は、取出口１２の向きが上下方向とは異なる方向となるように容器構造体３における取出口１２の形成面が重力方向を法線方向とする水平面に対して起立した状態として載置面２５上に置かれて使用されてもよい。このような使用を、ウェットティッシュ包装体１を立てて使用する（縦置き）と呼ぶ。その場合、ウェットティッシュ包装体１においてウェットティッシュ積層体６の積層構造が崩れやすくなるという問題が考えられるが、第１の実施形態におけるウェットティッシュ包装体１によれば、抵抗付与部材４の自由端２２側を容器構造体３の奥方側に向かって付勢した構成が備えられていることで、図９に示すようにウェットティッシュ積層体６より上側でウェットティッシュ積層体６が容器構造体３の奥方向に向かって押し付けられることから、ウェットティッシュ積層体６の積層構造が崩れる虞が抑制され、ウェットティッシュ積層体６の積層構造が確実に保持される。
【００５２】
また、図１０の例に示すように抵抗付与部材４の自由端２２側よりも基端２１側のほうが上側に位置するように立てて使用されてもよい。この場合、ウェットティッシュ積層体６の積層構造が崩れてきても抵抗付与部材４上に寄りかかるようになって、やはりウェットティッシュ積層体６の積層構造の崩れが抑制される。
【００５３】
（収納空間２６）
抵抗付与部材４は、図２、図３等に示すように取出部１１に取り付けられて取出部１１と抵抗付与部材４との間に収納空間２６を形成するように構成されていてもよい。収納空間２６は、抵抗付与部材４を、容器構造体３の奥方側に向かって凸状に形成された板状に形成することで、抵抗付与部材４と取出部１１との間の空間部として具体的に形成することができる。ウェットティッシュ包装体１に収納空間２６が形成されていることで、ウェットティッシュ７のうち抵抗付与部１３から外側に出た部分を取出部１１と抵抗付与部材４との間により効果的に収納することができる。
【００５４】
（湾曲部２７）
抵抗付与部材４は、図２、図３等に示すように容器構造体３の奥方側に向かって凸状に湾曲した湾曲部２７を備えた板状に形成されている。ただし、図２や図３等には抵抗付与部材４の一例が示されているにすぎず、抵抗付与部材４は板状でなくても差し支えない。また、この場合、抵抗付与部材４には、湾曲部２７内の所定位置に抵抗付与部１３が形成されていることが好ましい。
【００５５】
図２，図３の例では、抵抗付与部材４は、基端２１側から自由端２２側に向かう方向に沿って湾曲して湾曲部２７を形成しているが、湾曲部２７の湾曲方向はこれに限定されない。なお、図３中、矢印Ｃ１は湾曲方向を示す。図１５に示すように、湾曲部２７は、基端２１側から自由端２２側に向かう方向を横切る方向（図１５中、矢印Ｃ２方向）に湾曲した形状に形成されてもよい。このとき湾曲部２７は、基端２１側から自由端２２側に向かう方向（図１５中、湾曲方向Ｃ１）、及び、基端２１側から自由端２２側に向かう方向を横切る方向（例えば、湾曲方向Ｃ２）の２方向ともに湾曲した形状に形成されていることが好ましい。湾曲部２７が、２方向に湾曲していることで、抵抗付与部材４の強度を向上させることができ抵抗付与部材４の意図しない変形を抑制することができる。
【００５６】
（抵抗付与部１３）
抵抗付与部１３は、図８等に示すように取出口１２からウェットティッシュ７が引き出される際にそのウェットティッシュ７に抵抗を付与する構造部である。図４Ａ、図４Ｂ、図８の例で更に説明すると、抵抗付与部１３は、ウェットティッシュ積層体６から通過部１８を経由してウェットティッシュ７が引き出される際に、その引き出されるウェットティッシュ７に対して摩擦抵抗を付与する構造部である。
【００５７】
抵抗付与部材４において、抵抗付与部１３の形成位置は、特に限定されず適宜選択可能であるが、抵抗付与部材４の中心の位置に形成されていることが、抵抗付与部１３とウェットティッシュ７との摩擦抵抗がある程度大きくなっても摩擦抵抗によって抵抗付与部材４に意図しない変形を生じる虞を抑制しやすい点で好ましい。
【００５８】
抵抗付与部１３の形状や構造は、特に限定されないが、図８に示す例では、左右方向にのびる長孔部２８を有してなる。
【００５９】
抵抗付与部１３は、長孔部２８で形成されていてもよいが、図８に示すように補助孔３３、３４とスリット３７、３８を更に備えても形成されてもよい。すなわち、抵抗付与部１３においては、長孔部２８の長手方向に沿った所定の位置で長孔部２８の幅方向に沿って長孔部２８からやや離れた位置に間隔をおいて細長な補助孔３３、３４が形成されており、長孔部２８から補助孔３３に向かって連続山形状のスリット３７が切れ込み形成されている。さらに、補助孔３３と補助孔３４との間にもスリット３８が切れ込み形成されており、長孔部２８と補助孔３３，３４がスリット３７、３８で連通している。抵抗付与部１３がこのように構成されている場合、抵抗付与部１３を通過させてウェットティッシュ積層体６の先端部６ａを引き出そうとする際、ウェットティッシュ積層体６の先端部６ａやその近傍部分が長孔部２８を通過しうるのみならず補助孔３３，３４とスリット３７，３８も通過しうることなり、長孔部２８のみならず、補助孔３３，３４及びスリット３７，３８からもウェットティッシュ７に対して摩擦抵抗が付与できるようになる。
【００６０】
（リブ４０）
図１４に示すように、抵抗付与部材４の厚み方向を視線方向として抵抗付与部材４を見た場合に、抵抗付与部材４には抵抗付与部１３を挟むようにリブ４０が立設されていてもよい。リブ４０の形状は、特に限定されるものではないが、図１４の例では、基端２１から自由端２２に向かう方向に沿ってのびる形状に形成されている。抵抗付与部１３には、ウェットティッシュ７との間で作用する応力の力点があるため、抵抗付与部１３以外の部分と比較して力を負荷される機会が多く、応力の大きさや負荷される回数が大きくなると、抵抗付与部１３やその近傍に変形を生じる虞がある。この点、抵抗付与部材４に上記したようなリブ４０が形成されていると、抵抗付与部１３やその近傍の剛性が向上し、抵抗付与部１３やその近傍の変形の虞を抑制することができる。
【００６１】
（抵抗付与部材４の基端２１側の所定部４１と自由端２２側の所定部４２の弾性）
抵抗付与部材４は、基端２１側の所定部（基端部）４１と自由端２２側の所定部（自由端部）４２の弾性を異にして、基端部４１よりも自由端部４２のほうが柔軟となるように構成されてもよい。一例を挙げると、抵抗付与部材４は、基端部４１を中央部４３よりも弾性の強い構造をとし、自由端部４２を中央部４３よりも弾性の弱い構造として構成されてもよい。この場合、基端部４１側では弾性的に奥方向に向かう付勢力が強く抵抗付与部材４にウェットティッシュ積層体６の押し付け力を強く作用させることができる一方で、自由端部４２では弱い力でウェットティッシュ積層体６を押し付けることから、ウェットティッシュ積層体６に自由端部４２側が沈みこむ虞が抑制される。なお、抵抗付与部材４における基端部４１と自由端部４２の弾性の調整は、各部の厚みを適宜調整することで実現可能であり、抵抗付与部材４にリブ４０が設けられている場合にはそのリブ４０の高さや長さ等を調整することで実現可能である。
【００６２】
なお、抵抗付与部材４の基端部４１とは、抵抗付与部材４が取出部１１に片持ち支持されている場合において、その支持部側の領域をいい、自由端部４２とは、基端部４１の反対側の領域をいう。
【００６３】
また、抵抗付与部材４の自由端部４２とは、抵抗付与部材４が取出部１１に片持ち支持されている場合において、抵抗付与部材４の部分であって抵抗付与部材４の自由端２２から基端２１側に向かった所定位置までの所定部分である。このとき、基端２１側に向かった所定位置は、抵抗付与部１３よりも自由端２２寄りの位置として特定される。
【００６４】
抵抗付与部材４の中央部４３とは、抵抗付与部材４の部分であって基端部４１と自由端部４２を除く部分として特定される。  
【００６５】
（当て材１７と抵抗付与部材４の調製）
当て材１７と抵抗付与部材４は、射出成形等の方法により、一体成型されてよいほか、各部材を別体で成形して組み合わせてもよい。
【００６６】
（抵抗付与部材４の機能）
本発明のウェットティッシュ包装体１は、図２，図５に示すようにウェットティッシュ積層体６の嵩が低下するにともない抵抗付与部１３の位置が奥方側に移動するため、ウェットティッシュ７の後端側に位置する分離部１０と抵抗付与部１３との間隔が広がりやすい状態が形成されにくくなり、ウェットティッシュ７の分離が生じるタイミングにずれが発生しやすくなる問題が生じにくくなる。すなわち、ウェットティッシュ積層体６の嵩が低下するのに伴って、抵抗付与部１３に接触したウェットティッシュ７のうち抵抗付与部１３を通過して外部側に出た部分が向かう退出方向Ｓと、抵抗付与部１３を通過する直前のウェットティッシュ７が向かう進入方向Ｒとが次第に異なる方向となる（即ち、抵抗付与部１３が斜めになって、ウェットティッシュ７が折れ曲がって通過する）状態になり、しかも取出部１１に向き合うウェットティッシュ積層体６の面に対して抵抗付与部材４が次第に斜め向きに傾くことから、抵抗付与部１３からウェットティッシュ７に対して適度な摩擦抵抗が負荷された状態が保たれるようになる。こうして、ウェットティッシュ７が抵抗付与部１３から強い摩擦抵抗を受けずに抵抗付与部１３を大きくすりぬけてしまう事態が生じにくくなり、ウェットティッシュ７の分離が生じるタイミングにずれが発生しやすくなる問題が生じにくくなる。その結果、蓋体５を確実に閉じて、ウェットティッシュ７の乾燥を防止することができる。
【００６７】
また、本発明のウェットティッシュ包装体１では、先行した引き出されるウェットティッシュ７（Ｎ１）の後端側に位置する分離部１０と抵抗付与部１３との間隔が広がりにくいため、先行して引き出されるウェットティッシュ７に後続するウェットティッシュ７が抵抗付与部１３を通過する前にウェットティッシュ７，７の分離が生じてしまう虞も抑制される。
【００６８】
さらに、本発明のウェットティッシュ包装体１は、図２に示すようにウェットティッシュ積層体６の嵩が低下するにともない抵抗付与部１３の位置が奥方側に移動するため、ウェットティッシュ包装体１の使用にともなって取出部１１と抵抗付与部１３とその周囲部分と間に徐々に拡大していくスペースが形成される。その結果、ウェットティッシュ７のうち抵抗付与部１３から外側に出た部分が仮に大きくなってしまっても、その部分を取出部１１よりも容器構造体３内に押し込んで蓋体５を閉じることができ、ウェットティッシュ７の乾燥を抑制することができる。
【００６９】
また、ウェットティッシュ積層体６の嵩が低下した状態で、分離部１０において分離されて容器構造体３内に残された側のウェットティッシュ７の先端が仮に容器構造体３内に落ち込んだ状態になったような場合でも、抵抗付与部１３が斜めになって自由端２２側が容器構造体３側に入り込んでいるので、ウェットティッシュ７の先端部分を指先で容易につまみ上げて外に引き出すことができる。
【００７０】
（連通部４７）
ウェットティッシュ包装体１において、当て材１７と抵抗付与部材４との間に収納空間２６が形成されている場合にあっては、図３に示すように、収納容器１５の内部空間と収納空間２６とを抵抗付与部１３を除く部分で連通させる連通部４７が形成されていてもよい。例えば、連通部４７は、抵抗付与部材４を凸状に形成するとともに抵抗付与部材４の凸状に突き出た部分の両側部で収納容器１５の内部空間と収納空間２６とを連通させた構成とすることで具体的に形成できる。ウェットティッシュ包装体１に連通部４７が形成されることで、ウェットティッシュ７を収納空間２６に押し込んだ際に、収納空間２６内に収納しきれなかった部分が生じても、その部分を連通部４７から収納容器１５の内部空間に向けてより容易に流し込むことができる。
【００７１】
（蓋体５）
ウェットティッシュ包装体１は、図１，２，３等に示すように蓋体５が設けられていることが好適である。蓋体５は、容器構造体３の所定位置に取り付けられており、取出口１２を開閉可能に設けられている。図１，２，３等の例では、ウェットティッシュ包装体１において、蓋体５は、ヒンジ部５ａを介して当て材１７に取り付けられて取出口１２をなす通過部１８を開閉自在に取り付けられている。
【００７２】
蓋体５は、ヒンジ部５ａ及び当て材１７と一体成型されてもよいし、ヒンジ部５ａと当て材１７とそれぞれ別体で形成されてもよい。蓋体５がヒンジ部５ａ及び当て材１７と一体成型される場合、更にヒンジ部５ａ及び当て材１７及び抵抗付与部材４と蓋体５とが一体成型により形成されていてもよい。蓋体５は、ヒンジ部５ａと一体成型し且つ当て材１７とは別体に形成されてもよい。蓋体５は、当て材１７と同様の材料、例えば、ポリエチレン、ポリプロピレン等の熱可塑性樹脂材料で形成されてよい。ウェットティッシュ包装体１において蓋体５が取り付けられることで、図４Ｃに示すように蓋体５でウェットティッシュ７の露出をより確実に抑制することができ、ウェットティッシュ７の乾燥を効果的に抑止することができる。
【００７３】
なお、第１の実施形態のウェットティッシュ包装体１において蓋体５が取り付けられる場合、図１の例では、蓋体５は、ヒンジ部５ａの位置が抵抗付与部材４の自由端２２側よりも基端２１側に近接した位置となるように、当て材１７に取り付けられているがこれに限定されない。蓋体５は、ヒンジ部５ａの位置が抵抗付与部材４の基端２１側よりも自由端２２側に近接した位置となるように、当て材１７に取り付けられてもよい。
【００７４】
［第２の実施形態］
第１の実施形態におけるウェットティッシュ包装体１では、抵抗付与部材４は、一体をなす部材として形成されていたが、ウェットティッシュ包装体１に設けられる抵抗付与部材４の構成は、これに限定されず、抵抗付与部材４が、後述する複数の抵抗付与部材形成片４４で構成されていてもよい。このような構成を備えたウェットティッシュ包装体１で特定される実施形態を第２の実施形態と呼ぶ。
【００７５】
第２の実施形態について図１２、図１３に基づいて説明する。
【００７６】
第２の実施形態におけるウェットティッシュ包装体１と第１の実施形態におけるウェットティッシュ包装体１とは、抵抗付与部材４の構成を異にすればよいから、第２の実施形態の説明において、抵抗付与部材４の構成を除く他の構成は第１の実施形態におけるウェットティッシュ包装体１と同じでよい。
【００７７】
第２の実施形態におけるウェットティッシュ包装体１では、抵抗付与部材４は、複数の抵抗付与部材形成片４４で構成されており、複数の抵抗付与部材形成片４４から２つ選ばれてなる組み合わせのうちの少なくとも１組は、ウェットティッシュ包装体１の平面視上、抵抗付与部材形成片４４の基端２１側から自由端２２側に向かう方向が互いに逆向きとなるように取出部１１に片持ち支持されている。
【００７８】
図１２、図１３の例で示す抵抗付与部材４は、複数の抵抗付与部材形成片４４ａ、４４ｂを組み合わせた状態とされて抵抗付与部１３が形成されており、複数の抵抗付与部材形成片４４ａ、４４ｂそれぞれを取出部１１に片持ち支持させて被支持端を基端２１としその逆端を自由端２２とした構成を備えている。抵抗付与部材形成片４４ａ、４４ｂは、それぞれ所定位置を外周端から所定形状に切り抜かれて抜き部４６を形成された板状に形成されている。抵抗付与部材４は、抵抗付与部材形成片４４ａの側端面と抵抗付与部材形成片４４ｂの側端面を向かい合わせて抵抗付与部材形成片４４ａ、４４ｂを配置し、且つ、抵抗付与部材形成片４４ａの抜き部４６と抵抗付与部材形成片４４ｂの抜き部４６を向かい合わせとすることで、形成される。このとき、抵抗付与部１３は、抵抗付与部材形成片４４ａの抜き部４６と抵抗付与部材形成片４４ｂの抜き部４６との間に形成されるスペースとして構成される。
【００７９】
図１２，図１３に示す例では、抵抗付与部１３が、複数の抵抗付与部材形成片４４ａ、４４ｂを組み合わせることで形成されているが、これに限定されない。すなわち、第２の実施形態における抵抗付与部材４は、１つの抵抗付与部材形成片４４に抵抗付与部１３が形成されて、他の抵抗付与部材形成片４４が抵抗付与部１３の周囲を構成する部分とされてもよい。この場合にあっても、これら複数の抵抗付与部材形成片４４を組み合わせた状態とされて抵抗付与部材４が形成される。
【００８０】
第２の実施形態におけるウェットティッシュ包装体１によれば、図１３に示すように、ウェットティッシュ積層体６の嵩が減少しても、複数の抵抗付与部材形成片４４ａ、４４ｂそれぞれの自由端２２側が容器構造体３の奥方側に向かって回動し（図１３中、複数の抵抗付与部材形成片４４ａ、４４ｂの自由端２２側の動く方向を矢印Ｋで示す）、複数の抵抗付与部材形成片４４ａ、４４ｂそれぞれでウェットティッシュ積層体６を容器構造体３の奥方向に押し付ける状態を維持でき、ウェットティッシュ積層体６の積層構造がより確実に保持されるようになる。なお、図１３中、符号４４ａ（Ｔ１）、符号４４ｂ（Ｔ１）は、それぞれウェットティッシュ積層体６の嵩が所定量まで減少した場合における抵抗付与部材形成片４４ａ、４４ｂを示す。
【００８１】
また、第２の実施形態におけるウェットティッシュ包装体１によれば、ウェットティッシュ包装体１が、立てかけて使用された場合に、複数の抵抗付与部材形成片４４それぞれでウェットティッシュ積層体６を容器構造体３の奥方向に押し付けることができるようになり、ウェットティッシュ積層体６が複数位置で容器構造体３の奥方向に押し付けられることから、ウェットティッシュ積層体６の積層構造の崩れがより確実に抑制できるようになる。
【００８２】
［第３の実施形態］
第１の実施形態におけるウェットティッシュ包装体１では、抵抗付与部材４が取出部１１に片持ち支持されていたが、第３の実施形態では、抵抗付与部材４が、取出部１１に機械的に支持されていない構成になっている。
【００８３】
第３の実施形態におけるウェットティッシュ包装体１と第１の実施形態におけるウェットティッシュ包装体１とは、抵抗付与部材４の構成を異にすればよいから、第３の実施形態の説明において、第１の実施の形態と同じ構成の箇所については説明を省略し、符号も同一のものを使用する。
【００８４】
図１６に示すように、第３の実施形態におけるウェットティッシュ包装体１では、抵抗付与部材４が、取出部１１に支持されていない状態とされているから、ウェットティッシュ積層体６からウェットティッシュ７が引き出されてウェットティッシュ積層体６の厚みが減少することに伴って、抵抗付与部材４の自重で抵抗付与部材４の抵抗付与部１３が容器構造体３の奥方側（図１６中、矢印Ｍ方向側）に移動する。なお、図１６中、符号４（Ｔ１）は、ウェットティッシュ積層体６の嵩が所定量まで減少した場合における抵抗付与部材４を示し、符号１３（Ｔ１）は、抵抗付与部材４（Ｔ１）の抵抗付与部１３を示す。
【００８５】
したがって、このウェットティッシュ包装体１は、ウェットティッシュ積層体６の最上面上に抵抗付与部材４が載置された状態を形成しやすくなり、先行して引き出されるウェットティッシュ７の後端側に位置する分離部１０と抵抗付与部１３との間隔が広がりやすい状態が形成されにくくなる。このため、抵抗付与部１３からウェットティッシュ７に対して適度な摩擦抵抗が負荷された状態がある程度保たれやすくなり、先行するウェットティッシュ７とそれに後続するウェットティッシュ７との分離が生じるタイミングにずれが発生しやすくなる問題が生じにくくなる。
【００８６】
（延長部４５）
第３の実施形態におけるウェットティッシュ包装体１においては、抵抗付与部材４は、その外周端の少なくとも一部をウェットティッシュ積層体６の厚み方向を法線とする平面の面方向に沿った方向に延長して延長部４５を延設形成されていてもよい。延長部４５が形成されていることで、抵抗付与部材４がウェットティッシュ積層体６の厚み方向に動いたとしてもウェットティッシュ積層体６の厚み方向を法線とする平面の面方向には動きにくい状態を形成することが容易となるとともに抵抗付与部材４の自重を増やすこともできる。
【００８７】
以上、詳細に説明したウェットティッシュ包装体１は、本発明に係るウェットティッシュ包装体１の実施態様のごく一部の例であり、本発明の趣旨を逸脱しない範囲で、適宜の実施態様を採りうるものである。
【符号の説明】
【００８８】
１  ウェットティッシュ包装体
３  容器構造体
４  抵抗付与部材
５  蓋体
６  ウェットティッシュ積層体
７  ウェットティッシュ
８、９  折り返し部
１０  分離部
１０ａ  オーバーラップ部
１０ｂ  分断部
１１  取出部
１２  取出口
１３  抵抗付与部
１４  ティッシュシート
１５  収納容器
１６  開口部
１７  当て材
１８  通過部
１９  取付部
２０  陥没部
２１  基端
２２  自由端
２３  屈曲部
２４  弾性体
２５  載置面
２６  収納空間
２７  湾曲部
２８  長孔部
３３、３４  補助孔
３７、３８  スリット
４０  リブ  
４１  基端部
４２  自由端部
４３  中央部
４４  抵抗付与部材形成片
４５  延長部
４６  抜き部
４７  連通部
【図１】
2014141320.tif 000003
【図２】
2014141320.tif 000004
【図３】
2014141320.tif 000005
【図４】
2014141320.tif 000006
【図５】
2014141320.tif 000007
【図６】
2014141320.tif 000008
【図７】
2014141320.tif 000009
【図８】
2014141320.tif 000010
【図９】
2014141320.tif 000011
【図１０】
2014141320.tif 000012
【図１１】
2014141320.tif 000013
【図１２】
2014141320.tif 000014
【図１３】
2014141320.tif 000015
【図１４】
2014141320.tif 000016
【図１５】
2014141320.tif 000017
【図１６】
2014141320.tif 000018
【手続補正書】
【提出日】平成26年3月20日(2014.3.20)
【手続補正１】
【補正対象書類名】特許請求の範囲
【補正対象項目名】全文
【補正方法】変更
【補正の内容】
【特許請求の範囲】
【請求項１】
ウエットティッシュ積層体を収納してなる収納容器と、
ウエットティッシュを引き出すための構造とを備え、
ウエットティッシュを引き出すための構造は、ウエットティッシュを引き出すための取出口を有する取出部と、この取出部の取出口より容器内方に位置するように設けた抵抗付与部材とからなり、
抵抗付与部材は容器内に支持され、ウエットティッシュの引き出しの際、先行して引き出されるウエットティッシュと後続するウエットティッシュとの分離を可能にするために、弾性変形可能に設けた構造と、ウエットティッシュ引き出し時にウエットティッシュに抵抗を与える抵抗付与部を設けた構造とを備えており、
収納容器に取出部を設けてなる容器構造体に、取出口を開閉するための蓋体を設けてなることを特徴とするウエットティッシュ包装体。
【請求項２】
抵抗付与部材は基端部と自由端部を有し、基端部は取出部に支持されており、自由端側は容器構造体の奥方側に向かって付勢されている請求項１に記載のウエットティッシュ包装体。
【請求項３】
取出口からウエットティッシュが引き出されることに伴うウエットティッシュ積層体の嵩の減少量に応じて、抵抗付与部材の抵抗付与部が容器構造体の奥方側に向かって移動するように構成した請求項１又は２に記載のウエットティッシュ包装体。
【請求項４】
収納容器は開口部を有し、取出口を有する当て材が収納容器内に取り付けられ、収納容器の開口部の形成領域内に前記取出口が位置しており、当て材に抵抗付与部材の基端部が支持固定されている請求項１〜３のいずれかに記載のウエットティッシュ包装体。
【請求項５】
抵抗付与部材は、基端側から自由端側に向かう方向に沿って湾曲しており、容器構造体の奥方側に向かって凸状に湾曲した湾曲部を有しており、湾曲部に抵抗付与部が形成されている請求項１〜４のいずれかに記載のウエットティッシュ包装体。
【請求項６】
取出部と抵抗付与部材との間に形成された収納空間と、この収納空間と収納容器の内部空間とを連通させる連通部とを備えている請求項１〜５のいずれかに記載のウエットティッシュ包装体。
【請求項７】
抵抗付与部は長孔部を有している請求項１〜６のいずれかに記載のウエットティッシュ包装体。
【請求項８】
収納容器は、柔軟なプラスチックフィルムから形成された袋状構造またはプラスチック樹脂材料から形成された筐体構造として構成される請求項１〜７のいずれかに記載のウエットティッシュ包装体。
【手続補正２】
【補正対象書類名】明細書
【補正対象項目名】０００４
【補正方法】変更
【補正の内容】
【０００４】
課題を解決するための手段
［００１２］
本発明は、
（１）ウエットティッシュ積層体を収納してなる収納容器と、
ウエットティッシュを引き出すための構造とを備え、
ウエットティッシュを引き出すための構造は、ウエットティッシュを引き出すための取出口を有する取出部と、この取出部の取出口より容器内方に位置するように設けた抵抗付与部材とからなり、
抵抗付与部材は容器内に支持され、ウエットティッシュの引き出しの際、先行して引き出されるウエットティッシュと後続するウエットティッシュとの分離を可能にするために、弾性変形可能に設けた構造と、ウエットティッシュ引き出し時にウエットティッシュに抵抗を与える抵抗付与部を設けた構造とを備えており、
収納容器に取出部を設けてなる容器構造体に、取出口を開閉するための蓋体を設けてなることを特徴とするウエットティッシュ包装体、
（２）抵抗付与部材は基端部と自由端部を有し、基端部は取出部に支持されており、自由端側は容器構造体の奥方側に向かって付勢されている上記（１）に記載のウエットティッシュ包装体、
（３）取出口からウエットティッシュが引き出されることに伴うウエットティッシュ積層体の嵩の減少量に応じて、抵抗付与部材の抵抗付与部が容器構造体の奥方側に向かって移動するように構成した上記（１）又は（２）に記載のウエットティッシュ包装体、
（４）収納容器は開口部を有し、取出口を有する当て材が収納容器内に取り付けられ、収納容器の開口部の形成領域内に前記取出口が位置しており、当て材に抵抗付与部材の基端部が支持固定されている上記（１）〜（３）のいずれかに記載のウエットティッシュ包装体、
（５）抵抗付与部材は、基端側から自由端側に向かう方向に沿って湾曲しており、容器構造体の奥方側に向かって凸状に湾曲した湾曲部を有しており、湾曲部に抵抗付与部が形成されている上記（１）〜（４）のいずれかに記載
【手続補正３】
【補正対象書類名】明細書
【補正対象項目名】０００５
【補正方法】変更
【補正の内容】
【０００５】
のウエットティッシュ包装体、
（６）取出部と抵抗付与部材との間に形成された収納空間と、この収納空間と収納容器の内部空間とを連通させる連通部とを備えている上記（１）〜（５のいずれかに記載のウエットティッシュ包装体、
（７）抵抗付与部は長孔部を有している上記（１）〜（６）のいずれかに記載のウエットティッシュ包装体、
（８）収納容器は、柔軟なプラスチックフィルムから形成された袋状構造またはプラスチック樹脂材料から形成された筐体構造として構成される上記（１）〜（７）のいずれかに記載のウエットティッシュ包装体
を要旨とする。
［００１３］
上記（２）のウエットティッシュ包装体は、抵抗付与部材が取出部に片持ち支持された構成を有しており、ここにおいて抵抗付与部材の基端部よりも自由端部のほうが柔軟となるように構成することができる。上記（２）のウエットティッシュ包装体において、抵抗付与部材は、複数の抵抗付与部材形成片にて構成されていてもよい。この場合、複数の抵抗付与部材形成片から２つ選ばれてなる組み合わせのうちの少なくとも１組は、ウェットティッシュ包装体の平面視上、抵抗付与部材形成片の基端側から自由端側に向かう方向が互いに逆向きとなるように各抵抗付与部材形成片が取出部に片持ち支持されている構造のものとして構成することができる。上記（２）のウエットティッシュ包装体において、容器構造体は、開口部を有する収納容器と、取出口を有する当て材とを備え、当て材を収納容器内に取り付けた構造のものとして構成することができる。また本発明のウェットティッシュ包装体において、抵抗付与部材には抵抗付与部を挟むようにリブを立設することができる。
発明の効果
［００１４］
本発明によれば、収納容器内に収納されたウェットティッシュ積層体の嵩が減少しても、蓋体を確実に閉じてウェットティッシュの乾燥の進行を抑制できるとともに、より容易にウェットティッシュの先端部分をつまみ上げてウェットティッシュを引き出すことができるウェットティッシュ包装体を得ることができる。
図面の簡単な説明
［００１５］
［図１］図１は、本発明の第１の実施形態におけるウェットティッシュ包装体の外観構成を表す概略外観斜視図である。
［図２］図２は、図１のＡ−Ａ線断面の状態を模式的に示す概略縦断面模式図である。
［図３］図３Ａは、ウェットティッシュ包装体から当て材と抵抗付与部材と蓋体とで構成される構造部分を抜き出した場合において、その構造部分の外観構成
【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
ウエットティッシュ積層体を収納してなる収納容器と、
ウエットティッシュを引き出すための構造とを備え、
ウエットティッシュを引き出すための構造は、ウエットティッシュを引き出すための取出口を有する取出部と、この取出部の取出口より容器内方に位置するように設けた抵抗付与部材とからなり、
抵抗付与部材は容器内に支持され、ウエットティッシュの引き出しの際、先行して引き出されるウエットティッシュと後続するウエットティッシュとの分離を可能にするため、弾性変形可能に設けた構造と、ウエットティッシュ引き出し時にウエットティッシュに抵抗を与える抵抗付与部を設けた構造とを備えており、
収納容器に取出部を設けてなる容器構造体に、取出口を開閉するための蓋体を設けてなることを特徴とするウエットティッシュ包装体。
【請求項２】
抵抗付与部材は基端部と自由端部を有し、基端部は取出部に支持されており、自由端側は容器構造体の奥方側に向かって付勢されている請求項１記載のウエットティッシュ包装体。
【請求項３】
取出口からウエットティッシュが引き出されることに伴うウエットティッシュ積層体の嵩の減少量に応じて、抵抗付与部材の抵抗付与部が容器構造体の奥方側に向かって移動するように構成した請求項１又は２に記載のウエットティッシュ包装体。
【請求項４】
収納容器は開口部を有し、取出口を有する当て材が収納容器内に取り付けられ、収納容器の開口部の形成領域内に前記取出口が位置しており、当て材に抵抗付与部材の基端部が支持固定されている請求項１〜３のいずれかに記載のウエットティッシュ包装体。
【請求項５】
抵抗付与部材は、基端側から自由端側に向かう方向に沿って湾曲しており、容器構造体の奥方に向かって凸状に湾曲した湾曲部を有しており、湾曲部に抵抗付与部材が形成されている請求項１〜４のいずれかに記載のウエットティッシュ包装体。
【請求項６】
取出部と抵抗付与部材との間に形成された収納空間と、この収納空間と収納容器の内部空間とを連通させる連通部とを備えている請求項１〜５のいずれかに記載のウエットティッシュ包装体。
【請求項７】
抵抗付与部は長孔部を有している請求項１〜６のいずれかに記載のウエットティッシュ包装体。
【請求項８】
収納容器は、柔軟なプラスチックフィルムから形成された袋状構造またはプラスチック樹脂材料から形成された筐体構造として構成される請求項１〜７のいずれかに記載のウエットティッシュ包装体。
【請求項９】
前記抵抗付与部材は基端部と自由端部を有し、前記抵抗付与部材の前記基端部から前記自由端部までの寸法は、前記ウエットティッシュ積層体の厚み方向の寸法よりも大きい請求項１記載のウエットティッシュ包装体。
【請求項１０】
前記収納容器に取り付けられる取付部と、前記蓋体と、前記取付部と前記蓋体との間にあるヒンジ部と、を樹脂により一体成型している請求項１記載のウエットティッシュ包装体。
【請求項１１】
前記取付部と、前記蓋体と、前記ヒンジ部とは、ポリプロピレン樹脂により一体成型している請求項１０記載のウエットティッシュ包装体。
【請求項１２】
前記取付部は、ホットメルトにより前記収納容器に取り付けられている請求項１０または１１記載のウエットティッシュ包装体。
【手続補正２】
【補正対象書類名】明細書
【補正対象項目名】００１２
【補正方法】変更
【補正の内容】
【００１２】
本発明は、
（１）ウエットティッシュ積層体を収納してなる収納容器と、
ウエットティッシュを引き出すための構造とを備え、
ウエットティッシュを引き出すための構造は、ウエットティッシュを引き出すための取出口を有する取出部と、この取出部の取出口より容器内方に位置するように設けた抵抗付与部材とからなり、
抵抗付与部材は容器内に支持され、ウエットティッシュの引き出しの際、先行して引き出されるウエットティッシュと後続するウエットティッシュとの分離を可能にするため、弾性変形可能に設けた構造と、ウエットティッシュ引き出し時にウエットティッシュに抵抗を与える抵抗付与部を設けた構造とを備えており、
収納容器に取出部を設けてなる容器構造体に、取出口を開閉するための蓋体を設けてなることを特徴とするウエットティッシュ包装体、
（２）抵抗付与部材は基端部と自由端部を有し、基端部は取出部に支持されており、自由端側は容器構造体の奥方側に向かって付勢されている上記（１）に記載のウエットティッシュ包装体、
（３）取出口からウエットティッシュが引き出されることに伴うウエットティッシュ積層体の嵩の減少量に応じて、抵抗付与部材の抵抗付与部が容器構造体の奥方側に向かって移動するように構成した上記（１）又は（２）に記載のウエットティッシュ包装体、
（４）収納容器は開口部を有し、取出口を有する当て材が収納容器内に取り付けられ、収納容器の開口部の形成領域内に前記取出口が位置しており、当て材に抵抗付与部材の基端部が支持固定されている請求項１〜３のいずれかに記載のウエットティッシュ包装体、
（５）抵抗付与部材は、基端側から自由端側に向かう方向に沿って湾曲しており、容器構造体の奥方に向かって凸状に湾曲した湾曲部を有しており、湾曲部に抵抗付与部材が形成されている上記（１）〜（４）のいずれかに記載のウエットティッシュ包装体、
（６）取出部と抵抗付与部材との間に形成された収納空間と、この収納空間と収納容器の内部空間とを連通させる連通部とを備えている上記（１）〜（５）のいずれかに記載のウエットティッシュ包装体、
（７）抵抗付与部は長孔部を有している上記（１）〜（６）のいずれかに記載のウエットティッシュ包装体、
（８）収納容器は、柔軟なプラスチックフィルムから形成された袋状構造またはプラスチック樹脂材料から形成された筐体構造として構成される上記（１）〜（７）のいずれかに記載のウエットティッシュ包装体、
（９）前記抵抗付与部材は基端部と自由端部を有し、前記抵抗付与部材の前記基端部から前記自由端部までの寸法は、前記ウエットティッシュ積層体の厚み方向の寸法よりも大きい上記（１）記載のウエットティッシュ包装体、
（１０）前記収納容器に取り付けられる取付部と、前記蓋体と、前記取付部と前記蓋体との間にあるヒンジ部と、を樹脂により一体成型している上記（１）記載のウエットティッシュ包装体、
（１１）前記取付部と、前記蓋体と、前記ヒンジ部とは、ポリプロピレン樹脂により一体成型している上記（１０）記載のウエットティッシュ包装体、
（１２）前記取付部は、ホットメルトにより前記収納容器に取り付けられている上記（１０）または（１１）記載のウエットティッシュ包装体
を要旨とする。
【国際調査報告】
2014141320.tif 000019
2014141320.tif 000020
2014141320.tif 000021
2014141320.tif 000022